(57)【特許請求の範囲】
【請求項１】
エレベータ昇降路の壁面に上下方向に配置されているレールに取付けられ、前記レールへの取付け部に丸穴と長穴を備え、エレベータ昇降路内で垂下している垂下物の揺れを規制するエレベータの垂下物プロテクタにおいて、
前記エレベータの垂下物プロテクタは、
一端から他端までが板状である板状体であり、
前記レールへの取付け部が前記一端に設けられ、
前記他端が丸く形成され、
丸穴と長穴へのボルトとナットの取付けにより前記一端が前記レールに取付けられ、前記レールが配置されている壁面に直交するエレベータ昇降路の壁面に前記他端が当接されることにより、
前記エレベータ昇降路内に設置されることを特徴とするエレベータの垂下物プロテクタ。
【請求項２】
前記他端が、略Ｕ字形状に形成されていることを特徴とする請求項１に記載のエレベータの垂下物プロテクタ。
【請求項３】
請求項１又は２に記載のエレベータの垂下物プロテクタを備えることを特徴とするエレベータシステム。
【発明の詳細な説明】
【技術分野】
【０００１】
本発明は、エレベータ昇降路の制御ケーブルや各ロープ等の垂下物の引っ掛かりを防ぐためのプロテクタに関する技術である。
【背景技術】
【０００２】
地震発生時や強風時等の建物の揺れが大きいときに、エレベータ昇降路（以下、単に昇降路ともいう）内に垂下しているケーブルやロープ類が、昇降路内の各種機器に引っ掛かる恐れがある。
【０００３】
このため、例えば特許文献１では、エレベータ昇降路に備えた着床位置検出用の検出用板取付腕の端部および検出板の隙間に制御ケーブルの懸垂ループ部分やエレベータ巻上げロープ、または調速機ロープなどの垂下物が地震時の揺れにより引っ掛からないように前記着床位置検出用板の取付腕の端部および検出板の隙間に番線を張ったものが開示されている。
【０００４】
また、例えば特許文献２では、制御ケーブルの揺れ規制用のブラケットを開示しており、各乗場階には必ず乗場ホール呼びボタンがあるので、それへの配線を昇降路のレールに沿う配線からブラケットの腕に這わせて昇降路壁へ繋げ乗場ホール呼びボタンヘ接続するようにしている。
このようにして、ブラケット端部と昇降路壁間の隙間は前記配線で繋げることにより番線と同じ機能を持たせたものであり、前記制御ケーブルや巻上げロープまたは調速機ロープなどが地震時の揺れにより引っ掛からないようにしている。
【０００５】
また、ＪＥＡＳ（日本エレベータ協会）では、エレベータの昇降路内機器突出物に対する保護措置設置標準ＪＥＡＳ−７１１（標準０６−０２）（Ｐ１０〜Ｐ１３）の中でケーブル吊手、中間振れ止め、保護金網取付腕などの取付腕に、横プロテクタまたは横保護線を設置するよう規定している。
図５は、この横プロテクタを含むエレベータ昇降路の構成を示す。
【０００６】
図５において、１はエレベータかご、２は釣合おもり、３は調速機ロープ、４はかごガイドレール、５はおもりガイドレール、６は制御ケーブル、１２は昇降路壁、１７は取付腕、１８は番線、１９はボルト、２０は溶接部、２１は乗場ドア、１３０は横プロテクタである。
また、図６は、図５のＡ部の拡大図である。
図５及び図６に示すように、横プロテクタ１３０は、昇降路壁面に配置されたかごガイドレール４に一端が取付けられ、他端に番線１８が溶接され、番線１８を介して昇降路壁面にボルト１９で固定されている。
【特許文献１】実開昭５９−４３３３９号公報
【特許文献２】特開平１１−１０６１６１号公報
【発明の開示】
【発明が解決しようとする課題】
【０００７】
これらのように制御ケーブルや巻上げロープまたは調速機ロープなどが引っ掛からないように横プロテクタ（ブラケット）または横保護線をー定の間隔で取付けなければならないが、昇降路行程の高い建物では横プロテクタまたは番線の設置箇所数が多く、横プロテクタと昇降路壁との隙間の調整や横保護線を壁に固定するのは作業が大変であるという課題がある。
また、横プロテクタを使用する場合には、レールと昇降路壁の距離に応じた横プロテクタを製作する必要があり、このため横プロテクタの製作種類が多く、コストが高くなるという課題がある。
【０００８】
この発明は、上記のような課題を解決することを主な目的の一つとしており、プロテクタと昇降路壁との距離の調整を容易にして作業性を向上させ、また１種類のプロテクタでレールと昇降路壁の様々な距離に対応可能にすることを主な目的とする。
【課題を解決するための手段】
【０００９】
本発明に係るエレベータの垂下物プロテクタは、
エレベータ昇降路の壁面に上下方向に配置されているレールに取付けられ、エレベータ昇降路内で垂下している垂下物の揺れを規制するエレベータの垂下物プロテクタにおいて、
前記レールへの取付け部に丸穴と長穴を備えることを特徴とする。
【発明の効果】
【００１０】
本発明によれば、レールへの取付け部に丸穴と長穴を備えることで、垂下物プロテクタを斜めに配置することが可能となり、垂下物プロテクタと昇降路壁との距離の調整が容易となり作業性が向上する。また１種類の垂下物プロテクタでレールと昇降路壁の様々な距離に対応可能となり、製作種類の削減が可能となる。
【発明を実施するための最良の形態】
【００１１】
実施の形態１．
本実施の形態では、横プロテクタ（垂下物プロテクタ）のレール取付け部に丸穴と長穴を開けることで横プロテクタを昇降壁との距離に応じて斜めにも調整および固定できるようにし、横プロテクタの先端を丸くすることで斜めに取付けた場合でもケーブル類が引っ掛かりにくい構成とした例を説明する。
【００１２】
図１は、本実施の形態に係る横プロテクタを含むエレベータ昇降路の平面図（昇降路の上方又は下方から見た状態）であり、図２は図１の横プロテクタの拡大図であり、図３は図２の正面図を示したものである。
【００１３】
図において、１はエレベータかご、２は釣合おもり、３は調速機ロープ、４はかごガイドレール、５はおもりガイドレール、６は制御ケーブル、７〜１１はレールブラケット、１２は昇降路壁、１３は横プロテクタ、１４はレールクリップ、１５はボルト、１６はナット、２１は乗場ドア、１３１は丸穴、１３２は長穴である。
【００１４】
図１及び図２に示すように、横プロテクタ１３は、エレベータ昇降路壁１２に上下方向に配置されているかごガイドレール４に取付けられ、エレベータ昇降路内で垂下しているケーブルやロープ等の垂下物の地震時等における揺れを規制するプロテクタである。
そして、
図３に示すように、本実施の形態に係る横プロテクタ１３は、レール取付け部に丸穴１３１と長穴１３２を設けている。
図３では、丸穴１３１と長穴１３２の配置例として２種類を示している。
また、本実施の形態に係る横プロテクタ１３では、レール取付け部が設けられている端部とは逆側の端部（他端）が丸く形成されている。他端は、図３に示すように、略Ｕ字形状に形成されていることが望ましい。
そして、本実施の形態に係る横プロテクタ１３は、図４に示すように、丸穴１３１と長穴１３２へのボルト１５とナット１６の取付けにより一端（レール取付け部）がかごガイドレール４に取付けられ、かごガイドレール４が配置されている壁面に直交するエレベータ昇降路壁１２の壁面に他端が当接されることにより、横プロテクタ１３はエレベータ昇降路内に設置される。
ここで、当接とは、突き当たった状態で接することをいう。
つまり、他端の取付けは、図５及び図６のようにボルトによる固定、溶接による固定ではない。
【００１５】
そして、横プロテクタ１３のレール取付け部に丸穴１３１と長穴１３２を開けることで、図４に示すように、斜めにも調整可能とした。
横プロテクタ１３を斜めにも配置できることから、横プロテクタ１３の角度を変化させることで、かごガイドレール４と昇降路壁面との間の様々な距離に対応可能であり、かごガイドレール４と昇降路壁面との間の距離いかんに関わらず、１種類の横プロテクタ１３で対応可能である。
また、１種類の横プロテクタとすることで、材料、金型等を節約ことができ横プロテクタの生産工程において環境負荷を低減することができる。また、運搬工程においても、運搬が容易になる。
【００１６】
また横プロテクタの反レール部を丸くすることで、斜めに取付けた場合でもケーブル類が引っ掛かりにくい構造とした（仮にケーブル類が他端にかかっても丸いのですり抜けやすい）。
また従来のように番線で取付腕と昇降路壁を繋いだものに起こる番線切れや外れの恐れもなく、溶接などの作業も不要で、斜めにも調整可能にしたことで昇降路壁との距離の調整を簡素化し据付作業の効率化が図れる。
また、メンテナンスや交換等により横プロテクタを取り外す際にも、番線、溶接部分がないため取り外しが容易である。
【００１７】
以上、本実施の形態では、エレベータ制御ケーブルやロープが地震時の揺れにより昇降路機器への干渉および引っ掛かりを防ぐため揺れを規制する横プロテクタにおいて、前記プロテクタのレール取付部に丸穴と長穴を備えたことを説明した。
【００１８】
また、本実施の形態では、横プロテクタの先端を丸く加工したことを説明した。
【図面の簡単な説明】
【００１９】
【図１】実施の形態１に係る横プロテクタを含むエレベータ昇降路の平面図。
【図２】横プロテクタの拡大図。
【図３】横プロテクタの正面図。
【図４】横プロテクタの配置例を示す図。
【図５】従来の横プロテクタを施行した昇降路平面図。
【図６】図５の部分Ａの拡大図。
【符号の説明】
【００２０】
１  かご、２  釣合おもり、３  調速機ロープ、４  かごガイドレール、５  おもりガイドレール、６  制御ケーブル、７  レールブラケット、８  レールブラケット、９  レールブラケット、１０  レールブラケット、１１  レールブラケット、１２  昇降路壁、１３  横プロテクタ、１４  レールクリップ、１５  ボルト、１６  ナット、１７  取付腕、１８  番線、１９  ボルト、２０  溶接部、２１  乗場ドア。
【図１】
0005235464.tif 000002
【図２】
0005235464.tif 000003
【図３】
0005235464.tif 000004
【図４】
0005235464.tif 000005
【図５】
0005235464.tif 000006
【図６】
0005235464.tif 000007